(57)【要約】【課題】ピストン体を何も操作しない待機状態においては灌流下観察のための送水状態になり、しかも送水停止状態を維持するために操作を持続する必要がなく、送水停止状態においても術者が自分の手で自由に処置具を操作することができる灌流下観察用内視鏡の送水操作装置を提供すること。【解決手段】ピストン体７に連結された部材又はピストン体７にピン２１を突設して、シリンダ体２に対して同軸位置に固定された円筒状部材１５に軸線周り方向に斜行する斜行溝２２をピン２１が係合するように形成し、ピストン体７がシリンダ体２内に押し込まれた位置において圧縮コイルスプリング１３の軸線方向付勢力によりピン２１が嵌め込まれるクリック凹部２３を斜行溝２２に連続して形成すると共に、ピストン体７と円筒状部材１５に対して圧縮コイルスプリング１３の両端を固定する。【選択図】      図１
2005143854.tif 000002
【特許請求の範囲】
【請求項１】
液体が供給される給液管と上記液体を送り出すための送液管とが接続されたシリンダ体に、上記給液管と上記送液管との連通状態を切り換えるためのピストン体が軸線方向に進退自在に配置されて、上記ピストン体を上記シリンダ体内に押し込まれた状態から上記シリンダ体内に押し込まれていない待機状態に戻す方向に付勢する圧縮コイルスプリングが上記ピストン体の軸線を囲む状態に設けられ、上記待機状態では上記給液管と上記送液管とが上記シリンダ体内を介して連通し、上記ピストン体が上記シリンダ体内に押し込まれた状態では上記給液管と上記送液管との間が上記ピストン体によって閉塞されるように構成された灌流下観察用内視鏡の送水操作装置において、
上記ピストン体に連結された部材又は上記ピストン体にピンを突設して、上記シリンダ体に対して同軸位置に固定された円筒状部材に軸線周り方向に斜行する斜行溝を上記ピンが係合するように形成し、上記ピストン体が上記シリンダ体内に押し込まれた位置において上記圧縮コイルスプリングの軸線方向付勢力により上記ピンが嵌め込まれるクリック凹部を上記斜行溝に連続して形成すると共に、上記ピストン体と上記円筒状部材に対して上記圧縮コイルスプリングの両端を固定して、
上記ピストン体が上記シリンダ体内に押し込み操作されると、上記ピンが上記斜行溝を通過して上記クリック凹部に嵌め込まれて、上記ピストン体が上記シリンダ体内に押し込まれた状態を維持すると共に上記圧縮コイルスプリングに軸線周りの回転方向付勢力が蓄えられ、その状態から上記ピストン体が上記圧縮コイルスプリングの軸線方向付勢力に抗して押し込み操作されると、上記圧縮コイルスプリングの回転方向付勢力により上記ピンが上記クリック凹部側から上記斜行溝側に押し出され、上記ピストン体の押し込み操作が解除されるのに伴って、上記圧縮コイルスプリングの軸線方向付勢力により上記ピンが上記斜行溝内を通って上記待機状態に戻されるようにしたことを特徴とする灌流下観察用内視鏡の送水操作装置。
【発明の詳細な説明】
【技術分野】
【０００１】
この発明は灌流下観察用内視鏡の送水操作装置に関する。
【背景技術】
【０００２】
泌尿器用内視鏡や婦人科用内視鏡等においては、生理食塩水を臓器内に連続的に注入しながら水中で内視鏡観察を行う手技（以下、「灌流下観察」という）がとられる場合が多い。
【０００３】
そのような灌流下観察を行うための内視鏡の送水操作装置としては、内視鏡の操作部にシリンダ体が取り付けられていて、切り換え弁として作用するピストン体が、指先でシリンダ体内に押し込みできるように取り付けられた構成をとるのが最も一般的であり、ピストン体がシリンダ体内に押し込まれていない待機状態の時に送水状態になり、ピストン体がシリンダ体内に押し込み操作されると送水停止状態になるようになっている（例えば、特許文献１）。
【特許文献１】特開２０００−１３９８２６、図４及び図５
【発明の開示】
【発明が解決しようとする課題】
【０００４】
生理食塩水を臓器内に注入しながら灌流下観察を行うケースであっても、単なる内視鏡観察以外の各種の処置を行う際などには、送水停止状態にしておく必要がある場合が少なくない。すると、上述のような従来の灌流下観察用内視鏡の送水操作装置では、ピストン体を指先で押し続ける必要があるため、術者が処置具操作を十分に行うことができない場合があった。
【０００５】
そこで本発明は、ピストン体を何も操作しない待機状態においては灌流下観察のための送水状態になり、しかも送水停止状態を維持するために操作を持続する必要がなく、送水停止状態においても術者が自分の手で自由に処置具を操作することができる灌流下観察用内視鏡の送水操作装置を提供することを目的とする。
【課題を解決するための手段】
【０００６】
上記の目的を達成するため、本発明の灌流下観察用内視鏡の送水操作装置は、液体が供給される給液管と液体を送り出すための送液管とが接続されたシリンダ体に、給液管と送液管との連通状態を切り換えるためのピストン体が軸線方向に進退自在に配置されて、ピストン体をシリンダ体内に押し込まれた状態からシリンダ体内に押し込まれていない待機状態に戻す方向に付勢する圧縮コイルスプリングがピストン体の軸線を囲む状態に設けられ、待機状態では給液管と送液管とがシリンダ体内を介して連通し、ピストン体がシリンダ体内に押し込まれた状態では給液管と送液管との間がピストン体によって閉塞されるように構成された灌流下観察用内視鏡の送水操作装置において、ピストン体に連結された部材又はピストン体にピンを突設して、シリンダ体に対して同軸位置に固定された円筒状部材に軸線周り方向に斜行する斜行溝をピンが係合するように形成し、ピストン体がシリンダ体内に押し込まれた位置において圧縮コイルスプリングの軸線方向付勢力によりピンが嵌め込まれるクリック凹部を斜行溝に連続して形成すると共に、ピストン体と円筒状部材に対して圧縮コイルスプリングの両端を固定して、ピストン体がシリンダ体内に押し込み操作されると、ピンが斜行溝を通過してクリック凹部に嵌め込まれて、ピストン体がシリンダ体内に押し込まれた状態を維持すると共に圧縮コイルスプリングに軸線周りの回転方向付勢力が蓄えられ、その状態からピストン体が圧縮コイルスプリングの軸線方向付勢力に抗して押し込み操作されると、圧縮コイルスプリングの回転方向付勢力によりピンがクリック凹部側から斜行溝側に押し出され、ピストン体の押し込み操作が解除されるのに伴って、圧縮コイルスプリングの軸線方向付勢力によりピンが斜行溝内を通って待機状態に戻されるようにしたものである。
【発明の効果】
【０００７】
本発明によれば、ピストン体がシリンダ体内に押し込み操作されると、ピンが斜行溝を通過してクリック凹部に嵌め込まれて、ピストン体がシリンダ体内に押し込まれた状態を維持すると共に圧縮コイルスプリングに軸線周りの回転方向付勢力が蓄えられ、その状態からピストン体が圧縮コイルスプリングの軸線方向付勢力に抗して押し込み操作されると、圧縮コイルスプリングの回転方向付勢力によりピンがクリック凹部側から斜行溝側に押し出され、ピストン体の押し込み操作が解除されるのに伴って、圧縮コイルスプリングの軸線方向付勢力によりピンが斜行溝内を通って待機状態に戻されるので、ピストン体を何も操作しない待機状態においては灌流下観察のための送水状態になり、しかも送水停止状態を維持するために操作を持続する必要がなく、送水停止状態においても術者が自分の手で自由に処置具を操作することができる。
【発明を実施するための最良の形態】
【０００８】
ピストン体に連結された部材にピンを突設して、シリンダ体に対して同軸位置に固定された円筒状部材に軸線周り方向に斜行する斜行溝をピンが係合するように形成し、ピストン体がシリンダ体内に押し込まれた位置において圧縮コイルスプリングの軸線方向付勢力によりピンが嵌め込まれるクリック凹部を斜行溝に連続して形成すると共に、ピストン体と円筒状部材に対して圧縮コイルスプリングの両端を固定する。
【実施例】
【０００９】
図面を参照して本発明の実施例を説明する。
図１は、内視鏡の操作部１に取り付けられた灌流下観察用内視鏡の送水操作装置を示しており、操作部１に外方に開口する状態に固定ナット３によって固定されたシリンダ体２の側面と底面とに、生理食塩水等のような液体が供給される給液管４と、給液管４からシリンダ体２内に供給された液体を図示されていない内視鏡の挿入部先端に送り出す送液管５とが接続されている。
【００１０】
シリンダ体２内に軸線方向に進退自在に配置されたピストン体７には、ピストン体７がシリンダ体２内に押し込まれた状態の時に給液管４の開口部を密閉するようにシリンダ体２の内壁面に密接するシール部材１０が一体的に取り付けられている。
【００１１】
シリンダ体２の開口から外方に突出するピストン体７の突端部には、術者の指先で押し込み操作される操作ボタン１２がねじ止め固定されていて、シリンダ体２の開口より外方においてピストン体７の軸線を囲む状態に配置された圧縮コイルスプリング１３が、その軸線方向付勢力によって操作ボタン１２を常時外方に向けて付勢している。
【００１２】
したがって、操作ボタン１２に対して固定されているピストン体７もシリンダ体２から飛び出す方向に付勢されているが、固定ナット３に形成された鍔部に係合するプラスチック製の取り付け環１７と一体の金属製のストッパ環１６が、図１に示されるようにピストン体７の外周部の中間段部に当接することにより、ピストン体７がシリンダ体２から抜け出すのを阻止していて、その状態が待機状態になっている。
【００１３】
取り付け環１７は固定ナット３に対して軸線周りに回転できないように係合しており、分解掃除等をする際には、取り付け環１７を弾性変形させて固定ナット３との係合を解くことにより、ピストン体７をシリンダ体２から抜き出すことができる。
【００１４】
圧縮コイルスプリング１３の一端側は操作ボタン１２に螺合固定されているスプリング固定環１４に銀ロー付け等により固定され、他端側は、ストッパ環１６に螺合固定されている案内筒１５（円筒状部材）に、やはり銀ロー付け等により固定されている。
【００１５】
案内筒１５は全体としてはピストン体７と軸線を共にする円筒状に形成されていて、その円筒状部分に、操作ボタン１２の側面から内方に突設された一対の円柱状のピン２１が係合する斜行溝２２が形成されている（図２参照）。ピン２１と斜行溝２２は、例えば１８０°対称の位置に各々一対設けられている。
【００１６】
斜行溝２２は、案内筒１５の外端（図１において上端）に位置する部分が開放端になっていて、図２に示されるように、案内筒１５の軸線周り方向に斜行する（軸線と平行方向に対して斜行する）形状に形成されている。
【００１７】
そして、斜行溝２２に連続して開放端と反対側の端部には、ピストン体７がシリンダ体２に押し込まれた位置において圧縮コイルスプリング１３の軸線方向付勢力によりピン２１が嵌め込まれるクリック凹部２３が、ピン２１の略半径に相当する寸法分だけ案内筒１５の軸線と平行方向に戻る方向に形成されている。
【００１８】
このように構成された送水操作装置は、操作ボタン１２を何も操作しない待機状態においては、図１に示されるように、シリンダ体２内を介して給液管４と送液管５とが連通しており、給液管４から供給される生理食塩水が送液管５の先端から体内に送り出されて灌流下観察を行うことができる。
【００１９】
そして、術者が圧縮コイルスプリング１３の軸線方向付勢力に抗して操作ボタン１２を指先で押し込み操作（操作ボタン１２をずっと押し続けるのではなく、操作ボタン１２を奥まで押し込んだらすぐに指先から力を抜く操作）をすると、図３に示されるように、斜行溝２２に係合しているピン２１が斜行溝２２の奥側に進んで、その勢いで図４に示されるようにクリック凹部２３内に嵌まり込んだ状態になる。
【００２０】
すると、この状態では、圧縮コイルスプリング１３の軸線方向付勢力によってピン２１がクリック凹部２３に押し付けられているので、術者が操作ボタン１２から指先を放しても、図５に示されるように、ピストン体７がシリンダ体２内に押し込まれて給液管４の開口がシール部材１０により密閉された状態が維持される。
【００２１】
したがって、この状態にすることによって、術者は操作ボタン１２から指先を放して必要に応じて処置具を自由に操作し、送水停止状態下に内視鏡的処置を制約なく行うことができる。
【００２２】
また、図３に示されるようにピン２１が斜行溝２２に沿って進むのに伴って、ピン２１がピストン体７の軸線周りにも回動するので、それと共に操作ボタン１２が回転して圧縮コイルスプリング１３が軸線周りに捩じられた状態になる。
【００２３】
したがって、図４に示されるようにピン２１がクリック凹部２３に係合した状態では、図５に破線の矢印で示されるように、圧縮コイルスプリング１３に軸線方向付勢力と回転方向付勢力の両方が蓄えられる。
【００２４】
その結果、術者が次に操作ボタン１２を押し込み操作すると、図６に示されるように、クリック凹部２３に対する係合が解かれたピン２１が圧縮コイルスプリング１３の回転方向付勢力によってクリック凹部２３側から斜行溝２２側に押し出され、術者が操作ボタン１２から指を放す（又は押す力を緩める）と、圧縮コイルスプリング１３の軸線方向付勢力によりピン２１が斜行溝２２に沿って図１に示される待機状態に戻り、灌流下観察用内視鏡の送水操作装置が送水状態に戻る。
【００２５】
なお、本発明は上記実施例に限定されるものではなく、例えばピン２１をピストン体７に直接固定するような構成をとることも可能であり、具体的な構造としては種々の態様をとることができる。
【図面の簡単な説明】
【００２６】
【図１】本発明の実施例の灌流下観察用内視鏡の送水操作装置の待機（送水）状態の側面断面図である。
【図２】本発明の実施例の案内筒の斜視図である。
【図３】本発明の実施例の動作説明図である。
【図４】本発明の実施例の動作説明図である。
【図５】本発明の実施例の灌流下観察用内視鏡の送水操作装置の押込（送水停止）状態の側面断面図である。
【図６】本発明の実施例の動作説明図である。
【符号の説明】
【００２７】
１  操作部
２  シリンダ体
４  給液管
５  送液管
７  ピストン体
１２  操作ボタン
１３  圧縮コイルスプリング
１５  案内筒（円筒状部材）
２１  ピン
２２  斜行溝
２３  クリック凹部
【図１】
2005143854.tif 000003
【図２】
2005143854.tif 000004
【図３】
2005143854.tif 000005
【図４】
2005143854.tif 000006
【図５】
2005143854.tif 000007
【図６】
2005143854.tif 000008